(57)【要約】【課題】  開封が容易にでき、内容物の取り出しが容易で、ケースの解体後の折り畳み、集積、廃棄が容易になり、解体後のケースを古紙として再利用することができる。【解決手段】  正面パネルと天面パネルと背面パネルと底面パネルとを有し、これら各パネルの両側に設けられた側面フラップにより側面パネルを形成して直方体形状に組み立てられる紙製収納箱において、組立状態にて、前記天面パネル上に一部を起点として前後または左右に開封可能な開封手段が切込線により設けられている。【選択図】  図１
2005104549.tif 000002
【特許請求の範囲】
【請求項１】
正面パネルと天面パネルと背面パネルと底面パネルとを有し、これら各パネルの両側に設けられた側面フラップにより側面パネルを形成して直方体形状に組み立てられる紙製収納箱において、
組立状態にて、前記天面パネル上に一部を起点として前後または左右に開封可能な開封手段が切込線により設けられていることを特徴とする紙製収納箱。
【請求項２】
前記正面パネルと背面パネルとに、それぞれパネルの中央部に垂直方向の直線状折れ線が設けられると共に、該直線状折れ線の下部を基点として、左右上方に広がる形でそれぞれＶ字形状の折れ線が設けられていることを特徴とする請求項１記載の紙製収納箱。
【請求項３】
前記天面パネルの開封手段は、天面パネルの中央領域にそれぞれの頂点を有し、前後または左右にそれぞれ末広がり形状に配置された切込線によって形成されていることを特徴とする請求項１記載の紙製収納箱。
【請求項４】
前記天面パネルの前後または左右両側に配置された末広がり形状の開封手段のそれぞれの頂部の間に開口部が設けられ、それぞれの頂部と該開口部が切込線によって接続されていることを特徴とする請求項３記載の紙製収納箱。
【請求項５】
前記切込線がジッパーおよび／または連続したミシン目から成ることを特徴とする請求項１乃至４のいずれかに記載の紙製収納箱。
【請求項６】
前記天面パネルの前後または左右両側に配置された末広がり形状の開封手段のそれぞれの頂部の間に設けられた開口部は、前後または左右に細長い溝形の孔であることを特徴とする請求項４記載の紙製収納箱。
【請求項７】
前記切込線が、直線状または曲線状に延びていることを特徴とする請求項１乃至６のいずれかに記載の紙製収納箱。
【請求項８】
前記開口部が、細長い長方形、鼓形、繭玉形、菱形、楕円形、円形、四角形、台形のいずれかの形状であることを特徴とする請求項４または６記載の紙製収納箱。
【請求項９】
前記底面パネルのお互いに対角の位置にある二つの角部からほぼ４５°の傾斜角をなす直線状切込線を中央に向けて配置し、これら２本の切込線の端部を正面パネルとの境界線をなす辺に平行で中央に位置する直線状切込によって接続し、
さらに、お互いに対角をなす残りの二つの角部からほぼ４５°の傾斜角をなす直線状折れ線を中央に向けて配置し、その端部を前記ほぼ４５°の傾斜角をなす直線状切込線に接続したことを特徴とする請求項１乃至８のいずれかに記載の紙製収納箱。
【請求項１０】
両側に側面フラップをそれぞれ有する四つのパネルを連接し、これらパネルの接合部に沿って折り曲げることによって直方体形状に組み立てられる段ボールブランクであって、糊代が、いずれかのパネルの縁辺に沿って設けられることを特徴とする請求項１乃至６、および請求項９のいずれかに記載の紙製収納箱。
【請求項１１】
前記紙製収納箱は、ラップラウンドケースであることを特徴とする請求項１乃至１０のいずれかに記載の紙製収納箱。
【請求項１２】
前記紙製収納箱は、カットシートを収納することを特徴とする請求項１乃至１１のいずれかに記載の紙製収納箱。
【発明の詳細な説明】
【技術分野】
【０００１】
本発明は、複数冊のカットシート冊を収納するためのラップラウンドケースのような紙製収納箱に係わるもので、特に、開封と、内容物の取り出し、廃棄が容易な紙製収納箱に関するものである。
【背景技術】
【０００２】
一般的に、紙製収納箱としてのラップラウンドケースは、コピー用紙等のカットシート（平判紙のこと）を包装用紙で包装した冊の、複数冊を、段ボールケースを折り曲げながら箱詰めするので、カットシート冊を取出す際には、紙製収納箱の天面パネルや側面パネル等の、糊付けされて接着された４枚のフラップを剥して紙製収納箱を開き、内容物であるカットシート冊を取り出している。
【０００３】
このような紙製収納箱の開封を容易にするために、パネルやフラップ等にミシン目やジッパー等の切れ目を入れたカートンや、ラップラウンドケースのような紙製収納箱が知られている（例えば、特許文献１参照。）。
【０００４】
また、従来の紙製収納箱において、例えば缶体収納用の紙製収納箱として、一方の側版に把持孔を穿設し、この把持孔から切取り線をほぼＶ字形に形成し、さらに、この切取り線の一端と連なる切溝を内フラップに穿設し、また、外フラップの一端に切欠きを施し、他端に斜め方向の切取り線を施した開蓋手段を設けたものが知られている（例えば、特許文献２参照。）。
【０００５】
【特許文献１】特開平８−２１７０６１号公報(第３〜６頁、図１〜図４)
【特許文献２】実開平６−８７２２１号公報（第２〜４頁、図１〜図１０）
【発明の開示】
【発明が解決しようとする課題】
【０００６】
しかしながら、このような従来における紙製収納箱においては、特に、ラップラウンドケースのような場合、製作上、カットシート等の内容物を包むかたちで形成されているために、内容物の取り出し時に、紙製収納箱の内面との摩擦によって内容物を取り出すのが非常に難しく、また、低い位置からの取り出しが一層困難であり、取り扱う者の指や爪を傷付ける等の不都合が見られる。また、ラップラウンドケースでなく、Ａ式段ボール箱のような通常の段ボール箱の場合も、内容物がカットシートであれば、箱と内容物の隙間が小さいので類似の問題がある。
【０００７】
また、開封された紙製収納箱の廃棄時にも、従来の紙製収納箱は、押し潰して畳んだ状態が保持し難く、折り目部分の厚さに基づくダンボールの弾性力によって膨らみ易いために、開封手段や紙製収納箱の集積および結束がやり難い等の問題が見られる。
【０００８】
このように、従来の、内容物がダンボールケースの内寸法一杯の、ラップラウンドケースのような紙製収納箱は、側面からだけの開封では、内容物が取り出し難い。また、使用後の解体も、封緘時の糊や止め金具、またはテープ等を剥さなくてはならない等の厄介な問題も見られる。さらに、封緘テープが用いられている場合に、カッターのような道具を使用するか、あるいはまた爪で切って開封しなければならず、爪で切って開封する時に、指先の怪我につながる恐れがあるし、開封した紙製収納箱の集積や結束が行い難い等のさまざまな問題が見られる。
【０００９】
従って、本発明の目的は、このような従来における問題を解決するために、容易に大きく開封することができ、内容物を容易に取り出すことができて、使用後のケースの折り畳み、集積、廃棄を容易にすることができる紙製収納箱を提供することにある。また、開封後に再利用もし易い紙製収納箱を提供することも目的としている。
【課題を解決するための手段】
【００１０】
上述の目的を達成するために、本発明の紙製収納箱は、正面パネルと天面パネルと背面パネルと底面パネルとを有し、これら各パネルの両側に設けられた側面フラップにより側面パネルを形成して直方体形状に組み立てられる紙製収納箱において、組立状態にて、前記天面パネル上に一部を起点として前後または左右に開封可能な開封手段が切込線により設けられていることを特徴とする。
【００１１】
また、本発明の紙製収納箱は、正面パネルと背面パネルとに、それぞれパネルの中央部に垂直方向の直線状折れ線が設けられると共に、該直線状折れ線の下部を基点として、左右上方に広がる形でそれぞれＶ字形状の折れ線が設けられていることを特徴とする。
【００１２】
さらに、本発明の紙製収納箱は、前記天面パネルの開封手段が、天面パネルの中央領域にそれぞれの頂点を有し、前後または左右にそれぞれ末広がり形状に配置された切込線によって形成されていることを特徴とする。
【００１３】
さらにまた、本発明の紙製収納箱は、前記天面パネルの前後または左右両側に配置された末広がり形状の開封手段のそれぞれの頂部の間に開口部が設けられ、それぞれの頂部と該開口部が切込線によって接続されていることを特徴とする。
【００１４】
本発明の紙製収納箱は、前記切込線がジッパーおよび／または連続したミシン目から成ることを特徴とする。
【００１５】
また、本発明の紙製収納箱は、前記天面パネルの前後または左右両側に配置された末広がり形状の開封手段のそれぞれの頂部の間に設けられた開口部が、前後または左右に細長い溝形の孔であることを特徴とする。
【００１６】
さらに、本発明の紙製収納箱は、前記切込線が、直線状または曲線状に延びていることを特徴とする。
【００１７】
さらにまた、本発明の紙製収納箱は、前記開口部が、細長い長方形、鼓形、繭玉形、菱形、楕円形、円形、四角形、台形のいずれかの形状であることを特徴とする。
【００１８】
本発明の紙製収納箱は、前記底面パネルのお互いに対角の位置にある二つの角部からほぼ４５°の傾斜角をなす直線状切込線を中央に向けて配置し、これら２本の切込線の端部を正面パネルとの境界線をなす辺に平行で中央に位置する直線状切込によって接続し、さらに、お互いに対角をなす残りの二つの角部からほぼ４５°の傾斜角をなす直線状折れ線を中央に向けて配置し、その端部を前記ほぼ４５°の傾斜角をなす直線状切込線に接続したことを特徴とする。
【００１９】
また、本発明の紙製収納箱は、両側に側面フラップをそれぞれ有する四つのパネルを連接し、これらパネルの接合部に沿って折り曲げることによって直方体形状に組み立てられる段ボールブランクであって、糊代が、いずれかのパネルの縁辺に沿って設けられることを特徴とする。
【００２０】
さらに、本発明の紙製収納箱は、ラップラウンドケースであることを特徴とする。
【００２１】
さらにまた、本発明の紙製収納箱は、カットシートを収納することを特徴とする。
【００２２】
なお、本明細書中において、切込線は、開封時や解体時に切離す線を意味し、折れ線は、開封時や解体時に折り曲げ易くしてある線を意味する。また、紙製収納箱としての「ラップラウンドケース」とは、打抜かれた板状のダンボールの上に、機械的に集積された内容物を載せて、それを包み込んで、継ぎしろとフラップとをホットメルト接着剤等で糊貼りしたダンボール箱を言うものであり、さらにまた、「ジッパー」とは、「く」の字形や、「かぎ」形や、「Ｉ」の字形、「Ｙ」の字形、または「Ｔ」の字形等の切込みが直線状や曲線状に連続して形成された切込線を言うものである。さらにまた、内容物としては、カットシートの他に、ペットボトルやガラスビン、缶等の飲料容器や食品等がある。
【発明の効果】
【００２３】
本発明の紙製収納箱は、正面パネルと天面パネルと背面パネルと底面パネルとを有し、これら各パネルの両側に設けられた側面フラップにより側面パネルが形成された直方体形状に組み立てられる紙製収納箱において、組立状態にて、前記天面パネル上に一部を起点として前後または左右に開封可能な開封手段が切込線により設けられている。さらに好ましくは、正面パネルと背面パネルとに、それぞれパネルの中央部に垂直方向の直線状折れ線が設けられると共に、該直線状折れ線の下部を基点として左右上方に広がる形でそれぞれＶ字形状の折れ線が設けられ、かつ末広がり形状の開封手段のそれぞれの頂部の間に細長い開口部が設けられているので、紙製収納箱の天面パネルを開封することで、容易かつ大きく開封でき、内容物の容易で簡単な取り出しができる。さらに、底面パネルに切込線を設けることにより、ケースの解体および廃棄が容易になり、さらにまた古紙として再生利用が可能となる等の効果が得られる。
【００２４】
さらに、本発明の紙製収納箱は、両側に側面フラップをそれぞれ有する四つのパネルを連接し、これらパネルの接合部に沿って折り曲げることによって直方体形状に組み立てられるダンボールブランクであるので、一般のダンボールケースと同様に簡単に、かつ大量に、しかも安価に容易に製作することができ、容易かつ大きく開封でき、内容物の容易で簡単な取り出しと、ケースの解体および廃棄が容易になり、再生利用が可能となる等の効果が得られる。また、開封後にケースとして再利用し易いと云う効果もある。
【発明を実施するための最良の形態】
【００２５】
本発明の紙製収納箱は、正面パネルと天面パネルと背面パネルと底面パネルとを有し、これら各パネルの両側に設けられた側面フラップにより側面パネルが形成された直方体形状に組み立てられる紙製収納箱において、組立状態にて、天面パネル上に一部を起点として前後または左右に開封可能な開封手段が切込線により設けられている。さらに好ましくは、正面パネルと背面パネルには、それぞれのパネルの中央部に垂直方向の直線状折れ線が設けられると共に、該直線状折れ線の下部を基点として左右上方に広がる形でそれぞれＶ字形状の折れ線が設けられている。さらに、底面パネルには、ケースの解体と廃棄が容易になるように底面パネルに切込線が設けられる。
【００２６】
本発明のその他の目的や特徴および利点は、添付図面に示される本発明の紙製収納箱の実施形態についての以下の詳細な説明から明らかである。
【実施例１】
【００２７】
図１乃至図５は、本発明の紙製収納箱の実施例１を図示、説明するための概要図で、図１は、本発明の実施例１の紙製収納箱をブランク状態に開いた展開図、図２は、図１の本発明の実施例１の紙製収納箱に内容物を収納して閉鎖した状態を示す斜視図で、図３は、図２の本発明の実施例１の紙製収納箱の天面パネルを開封した状態で示す斜視図、図４は、本発明の実施例１の紙製収納箱を下方から見た底面図で、図５は、本発明の実施例１の紙製収納箱を完全に開いて空にして、底面パネルを切込線に沿って切断して平坦にした状態で示す下面図である。
【００２８】
なお、本発明の紙製収納箱が、主な４つのパネルから形成される直方体形状のケースとして、以下に図示、説明されるが、本発明は、このような直方体形状に限られるものではなく、これと異なった形状の直方体や、立方体形状等のケースにも適宜に利用できるものであることは勿論である。
【００２９】
図１および図２に示されるように、本発明の紙製収納箱１０は、図１の展開状態において、４面の連続する主要なパネル、すなわち正面パネル１と天面パネル２と背面パネル３と底面パネル４と、これら正面パネル１、天面パネル２、背面パネル３および底面パネル４の両側に設けられた側面パネルとしての内フラップ６、８、１１、１３と、外フラップ７、９、１２、１４とを有するものである。
【００３０】
このような本発明の紙製収納箱１０において、これら正面パネル１と天面パネル２と背面パネル３と底面パネル４との内のいずれか１つのパネル、図示の実施例では天面パネル２、のほぼ中央の領域に、横方向に細長い溝形の孔のような開口部１８が設けられ、この開口部１８の両側に開封手段としての末広がりに「八」の字形状のジッパーから成る切込線１７が設けられると共に、切込線２０が設けられ、さらに、中央に、前後の縦方向に折れ線１９が設けられている。
【００３１】
なお、開口部１８は、天面パネル２の中央に限らず、天面パネル２のいずれの位置にも設けることができるものであり、前後または左右のいずれの位置にも移動して配置することができる。さらにまた、開口部１８は、天面パネル２に対して横方向に細長く延びるように形成されているが、横方向に限らず縦方向の向きに配置することができ、いずれの方向にも設けることができる。また、開口部１８の方向により、末広がりに設けられる切込線１７の方向も９０°回転して設けられる。
【００３２】
また、本実施例においては、天面パネル２のほぼ中央に設けられる開口部１８が細長い溝形の孔をなしているが、開口部１８の形状は、図示の形状に限られるものでは無く、鼓形、繭玉形、長方形、菱形、長円形、楕円形、円形、四角形等の他の任意の形状にすることができるものである。
【００３３】
さらにまた、隣接の正面パネル１と背面パネル３とには、中央に垂直方向の折れ線１５、２５と、Ｖ字形状の折れ線１６、２６とが天面パネル２の両側の端部に向って延びるようにそれぞれ設けられている。さらに、底面パネル４には、対角線方向のほぼ４５°の切込線２３が互いに対角の位置にある角部から中央に向けて設けられ、これら２つの切込線２３の端部を連接する切込線２２とが設けられると共に、別の対角線方向にほぼ４５°の方向の折れ線２１が残りの角部から切込線２３の端部に接続するように設けられている。
【００３４】
本発明の紙製収納箱１０は、図示の展開した状態で、１枚の素材から切り出されて、底面パネル４が下面として床やテーブルまたは台の上に置かれて、この底面パネル４の上に内容物としての複数冊のカットシート冊が載せられる。そして、この商品としてのカットシート冊の周りに正面パネル１、天面パネル２、背面パネル３が巻くように置かれて、背面パネル３の下側の端辺に接合部である糊代５が接合されるようになる。
【００３５】
次に、両側の側面フラップの、例えば内フラップ６、８、１１、１３、が内側に折り曲げられ、対応する外フラップ７、９、１２、１４との重なり合う部分に糊のような接着剤３０が施され、そして外フラップ７、９、１２、１４がそれぞれ内側に折り曲げられて、相互に重ね合わせられ、重なり合う部分が糊等の接着剤３０によって接合されて側面が形成され、商品が詰められたダンボールの紙製収納箱１０が図２に示されるような直方体形状のパッケージとして完成される。そして、このような包装形態の箱はラップラウンドケースとも称される。
【００３６】
また、このような本発明の紙製収納箱１０は、図１に示されるような展開状態において、側面パネルの内外フラップ６〜９、１１〜１４の隣接のフラップ間に、紙厚さに対応した寸法の隙間Ｓがそれぞれ設けられており、組立時に各フラップ６〜９、１１〜１４が好適に折り曲げられて、互いに重なり合うことができるように形成されている。
【００３７】
さらに、このような本発明の紙製収納箱１０において、天面パネル２に、図１に示されるように、指や手を入れる細長い溝形の孔のような開口部１８と、切れ目としてのジッパーの切込線１７が開口部１８の両側に外方に向って末広がりに開いた状態に、いわゆる「八」の字形状に設けられて開封手段が形成されている。
【００３８】
天面パネル２に形成されるこの開封手段としての切込線１７は、天面パネル２のほぼ中央の開口部１８の両側に末広がり形状に切込線の頂点が位置するように設けられると共に、この末広がり形状のジッパーから成る切込線１７の頂点の位置に、開口部１８と連接して切込線２０が設けられている。この開口部１８は、細長い溝形の孔から成り、紙製収納箱１０を開封する際に、指先を容易に差し込んで引っ掛けることができるように形成されるものであり、この開口部１８のほぼ中央から前後に折れ線１９が設けられている。
【００３９】
なお、切込線１７は、図示の実施例１においては直線状をなしているが、直線状に限られるものではなく、円弧状の曲線にすることもできる。
【００４０】
このように構成された本発明の紙製収納箱１０における実際の使用例に就いて次に説明する。
【００４１】
図３乃至図５は、本発明の紙製収納箱１０の開封時の状態を示す説明図である。
【００４２】
先ず、図２に示されるように、密封閉鎖された紙製収納箱１０を開封する場合には、図示の状態に置かれた紙製収納箱１０において、天面パネル２のほぼ中央の開口部１８に両手の指先を押し込んで、前後の方向（正面パネル側と背面パネル側の方向）に開けば、天面パネル２は、中央の溝形の孔である開口部１８の両側の末広がり形状のジッパーから成る切込線１７に沿って、ほぼ三角形状の４つのパネル片２ａ、２ａ、２ｂ、２ｂ部分に分断されて開かれるようになる。
【００４３】
従って、この開かれた天面パネル２のほぼ三角形状のパネル片２ａ、２ｂ部分の頂部を掴んで、さらに左右に押し開いて紙製収納箱１０の天面パネル２を十分な大きさに開封するようにする。また、この時に、パネル片２ａは、中央の折れ線１９が稜線となって外側に位置するように山形になる。さらに、このような天面パネル２の開口によって、正面パネル１と背面パネル３が、中央の垂直方向の折れ線１５、２５が同じ様に稜線となって外側に位置する如く膨出する形状となるように押し開かれる。
【００４４】
これによって、紙製収納箱１０は、図３に示されるように、天面パネル２がほぼ三角形状の４つのパネル片２ａ、２ｂ部分に分断されて十分に大きく開封されるようになるので、天面パネル２が四方に開かれて正面パネル１と背面パネル３とが、それぞれ中央上部が押し出された形状に開かれた紙製収納箱１０の中から、内容物を容易に取り出すことができるようになる。
【００４５】
続いて、この図３に示される状態に紙製収納箱１０の天面パネル２が開封されて中から内容物が取り出されたならば、空になった紙製収納箱１０を逆さにひっくり返して、底面パネル４が上に露出されるように天地を逆にする。
【００４６】
そして、この底面パネル４が上に露出された紙製収納箱１０を、平坦な形状に押し潰すようにする。そのためには、底面パネル４において、図４に示されるように、略Ｓ字状をなす切込線２３、２２に沿って対向する方向の台形部分または三角形部分を内側に向って押すようにする。これによって、底面パネル４は、切込線２３、２２に沿って下方に開く方向に切断されるので、図５に示されるように、底面パネル４が分断されるように切断される。次いで、折れ線２１に沿って底面パネル４を折り畳めば、使用後の紙製収納箱１０を平坦な状態に押し潰して、小さな形状にて廃棄するように処分することができるようになる。
【００４７】
このように、本発明の紙製収納箱１０においては、底面パネル４の略Ｓ字状をなす切込線２３、２２に沿って底面パネル４を分断して開き、次いで、対角線方向のほぼ４５°の折れ線２１に沿って折り曲げることで、空の紙製収納箱１０を平らな小さな形状に折り畳むことができ、廃棄処分することができるようになる。
【００４８】
このように、本発明の紙製収納箱１０は、両側に側面フラップの内および外フラップ６〜９、１１〜１４を有する、連接する正面パネル１、天面パネル２、背面パネル３、底面パネル４を接合部５によって直方体形状のケース状に組立て、中に内容物を詰めて閉鎖して商品としてのケースを形成し、これを開封する際には、天面パネル３の中央の開口部１８に指先を掛けてジッパーとしての切込線１７に沿って上方に引き上げるようにして天面パネル３を十分に開封することができ、これに続いて中の内容物を取り出すことができる。さらに、正面パネル１、背面パネル３に設けられた折れ線１５、１６、２５、２６に沿って折り曲げて、天面の開口部を広げると、内容物がより取出し易くなる。
【００４９】
こうして、内容物を取り出した後の、開封された空のダンボールの紙製収納箱１０を平らに押し潰して、これをさらに折り畳んで、容易に折り畳みでき、開封後の紙製収納箱１０の集積と廃棄を容易にすることができるものである。このように、単に、紙製収納箱１０の天面パネル２を、ほぼ三角形状の４つのパネル片２ａ、２ｂの形に開封することで、カットシートの冊のような内容物の容易な取り出しと、紙製収納箱１０の解体および廃棄等と、が容易になる等の効果を奏することができ、しかも解体後の紙製収納箱１０を古紙として再生利用することができる。また、本実施例における紙製収納箱１０は、天面パネル２を開封後、収納箱として再利用することも可能である。
【００５０】
なお、本発明の実施例１の紙製収納箱１０において、底面パネル４のＳ字形の折れ線２１を、切込線２２、２３と同じく、ジッパーのような切込みの連続した切込線とすることもできる。
【実施例２】
【００５１】
図６と図７は、本発明の紙製収納箱の実施例２を図示、説明するための概要図で、図６は、本発明の実施例２の紙製収納箱をブランク状態に開いた展開図で、図７は、図６の本発明の実施例２の紙製収納箱に内容物を収納して閉鎖した時の直方体としての紙製収納箱の全体形状を示す斜視図である。
【００５２】
図示されるように、本発明の実施例２においては、紙製収納箱５０は、正面パネル５１と底面パネル５２と背面パネル５３と天面パネル５４と糊代５５と、これらパネルの両側に設けられた側面パネルを形成する内フラップ５６、５８、６１、６３と、外フラップ５７、５９、６２、６４とから形成されており、図示されるような状態に配置、構成されている。
【００５３】
図６に示されるように、本発明の紙製収納箱５０は、正面パネル５１と底面パネル５２と背面パネル５３と天面パネル５４とが連続した状態で形成され、天面パネル５４の側辺に接合部としての糊代５５が連続して設けられており、さらに、各パネルの側辺に内フラップ５６、５８、６１、６３と外フラップ５７、５９、６２、６４とが設けられている。
【００５４】
本発明の実施例２の紙製収納箱５０においては、正面パネル５１のほぼ中央に垂直方向の折れ線６５が設けられ、その下端からＶ字形の折れ線６６が上の角部に向って延びている。また、底面パネル５２には、互いに対角の位置にある角部を起点としてほぼ４５°の方向に切込線６９が設けられ、中央にて切込線６８によって繋がっており、これら切込線６９、６８、６９は略Ｓ字形をなしている。また、残りの対向する角部から折れ線６７が切込線６８の端部に接続するように設けられている。
【００５５】
また、天面パネル５４のほぼ中央には、細長い孔としての開口部７３が設けられており、この開口部７３の両端から外方に切込線７５が設けられると共に、この切込線７５の端部に、頂点を置いて末広がり形状に延びる「八」の字形状の連続したジッパーから成る切込線７２が設けられていて、切込線としての開封手段が形成されている。開口部７３は、細長い溝状の孔から成っており、紙製収納箱５０を開封する際に、指先を容易に差し込んで引っ掛けることができるように形成されるものであり、この開口部６８のほぼ中央から前後に折れ線７４が設けられている。
【００５６】
また、本実施例においては、天面パネル５４の中央に設けられる開口部７３が細長い溝状の孔をなしているが、開口部７３の形状はこれに限られるものでは無く、鼓形、繭玉形、長方形、菱形、長円形、楕円形、円形、四角形等の他の任意の形状にすることができる。
【００５７】
なお、開口部７３は、天面パネル５４の中央に限らず、天面パネル５４のいずれの位置にも設けることができるものであり、前後左右のいずれの位置にも移動して配置することができる。さらにまた、開口部７３は、天面パネル５４に対して横方向に細長く延びるように形成されているが、横方向に限らず縦方向の向きに配置できるし、いずれの位置にも設けることができる。
【００５８】
この天面パネル５４のジッパーの切込線７２は、開口部７３の両端付近から外方に末広がりに「八」の字形状に形成されており、端部が、角部から僅かに離れた位置にて紙製収納箱５０の角部の付近に終わっている。また、開口部７３の方向により、末広がりに設けられる切込線７２の方向も９０°回転した方向に設けられる。
【００５９】
なお、この天面パネル５４のジッパーの切込線７２は、この実施例２においては、ほぼ直線状に形成されているが、直線状の他に、円弧などの曲線状に形成しても良いことは勿論である。
【００６０】
さらに、これら内フラップ５６、５８、６１、６３と外フラップ５７、５９、６２、６４との間には、素材である段ボールの紙厚さに対応した寸法の隙間Ｓがそれぞれ設けられていて、組立て時に、内フラップ５６、５８、６１、６３と外フラップ５７、５９、６２、６４が好適に折り曲げられて重なり合うことができるように形成されている。
【００６１】
このような、図６に示されるような形状のブランクとして、本発明の実施例２における紙製収納箱５０が、図示の展開した状態で、一枚の平らな段ボールや板紙等から切り出されて作られる。
【００６２】
このような本発明の紙製収納箱５０において、底面パネル５２の上に所要の冊数のカットシート冊が置かれて、一方の側から背面パネル５３が起こされ、他方の側から正面パネル５１と天面パネル５４が起こされて内容物を包むように巻かれて、接合部である糊代５５が背面パネル５１の上辺に沿って折り曲げられて押圧されて接合部としての糊代５５に塗布された糊等の接着剤８０を介して背面パネル５３に接着される。
【００６３】
これと同時に、内フラップ５６、５８、６１、６３が内側に折り曲げられると共に、外フラップ５７、５９、６２、６４も内側に折り曲げられて糊等の接着剤８０によって内フラップ５６、５８、６１、６３の上に接着されて、中に内容物としてのカットシート冊が収納されて詰められた、ラップラウンドケースのような直方体形状のパッケージとして、図７に示されるような形状に形成される。そして、このような包装形態の箱はラップラウンドケースとも称される。
【００６４】
図７に示されるような本発明の紙製収納箱５０において、中身のカットケース冊を取り出すには、床やテーブルまたは台の上に置かれた本発明の紙製収納箱５０の天面パネル５４の開口部７３に指先を差し込んで左右外方に引き裂けば、天面パネル５４は、切込線７５と左右のジッパーの切込線７２とに沿って四方に引き裂かれる。
【００６５】
これに続いて、天面パネル５４のフラップ片５４ａを持って、さらに外方に向って押し開かれることによって、正面パネル５１と背面パネル５３がＶ字形の折れ線６６、７１に沿って外方に押し開かれると共に、中央の垂直方向の折れ線６５、７０に沿って外方に折り曲げられるように押し開かれるために、天面パネル５４部分の開口部がさらに拡張するように十分に開かれるようになる。
【００６６】
これと共に、天面パネル５４の残りのほぼ三角形のフラップ片５４ｂを持って、上方に、かつ外方に開けば、紙製収納箱５０は、上部の天面パネル５４が十分に開かれるようになる。
【００６７】
これによって、本発明の実施例２における紙製収納箱５０は、天面パネル５４部分が十分に広く開かれるために、中の内容物としてのカットシート冊を持って上方に持ち上げることによって容易に取り出すことができるようになる。
【００６８】
このように、本発明の紙製収納箱５０が十分に開封されて内容物が完全に取り出されたならば、紙製収納箱５０の開封された残余部材を押し潰すことによって、底面パネル５２が、略Ｓ字状をなす切込線６９、６８、６９と折れ線６７に沿って分断されて開かれるために、紙製収納箱５０を平らに簡単に折り畳むことができ、これによって小さく纏めて廃棄処分することができる。
【００６９】
このように、本発明の紙製収納箱５０は、両側に側面パネルとしての内フラップ５６、５８、６１、６３と外フラップ５７、５９、６２、６４とを有する連接する４つのパネルとしての背面パネル５１と底面パネル５２と正面パネル５３と天面パネル５４とを、天面パネル５４の一側の接合部である糊代５５によって、長方形のケース状に組立て、中にカットシート冊のような内容物を詰めて閉鎖して商品としてのケースを形成する。
【００７０】
そして、このような紙製収納箱５０を開封する際には、天面パネル５４の中央の開口部７３に指先を掛けて切込線７５と共にジッパーの切込線７２に沿って左右に引き裂くようにして開封することができる。そして、これに続いて残りの正面パネル５１と背面パネル５３をＶ字形の折れ線６６、７１に沿って外方に押し開いて天面パネル５４側の開口を大きく押し開くことができ、中のカットシート冊の内容物を簡単に、かつ容易に、しかも片手で取り出すことが可能となる。
【００７１】
内容物を取り出した後は、開いた段ボールの紙製収納箱５０を押し潰して底面パネル５２の略Ｓ字状をなす切込線６９、６８、６９と折れ線６７に沿って底面パネル５２を分断して開き、空の段ボール部材を容易に押し潰して平らにして折り畳んで廃棄することができるようになる。
【００７２】
このように本発明の実施例２の紙製収納箱５０においては、単に、天面パネル５４を開いて押し広げることで、内容物を容易に取り出すことができるようになり、カートシート冊のような内容物の容易な取り出しと紙製収納箱５０の解体および廃棄等が容易になる等の効果を奏することができ、しかも解体後の紙製収納箱５０を小さく折り畳んでリサイクル処理することができ、古紙として再生利用することが可能となる。
【００７３】
なお、本発明の実施例２の紙製収納箱５０において、底面パネル５２の折れ線６７を、切込線６８、６９と同じく、ジッパー等の切込みの連続した切込線とすることもできる。
【実施例３】
【００７４】
図８乃至図１３は、本発明の紙製収納箱の実施例３を図示、説明するための概要図で、図８は、本発明の実施例３の紙製収納箱をブランク状態に開いた展開図、図９は、図８の本発明の実施例３の紙製収納箱に内容物を収納して閉鎖した時の直方体としての紙製収納箱の全体形状を示す斜視図で、図１０は、図９の本発明の実施例３の紙製収納箱の天面パネルを開いた状態を示す斜視図、図１１は、図１０の本発明の実施例３の紙製収納箱から内容物を全て取り出して紙製収納箱を平らに潰すために天地を逆の状態にした斜視図で、図１２は、図１１の本発明の実施例３の紙製収納箱の底部を内側に押し入れて平らにした状態を示す斜視図、図１３は、本発明の実施例３の紙製収納箱の底部を外方に出すように収納箱を平らにした別の状態を示す斜視図である。
【００７５】
図示されるように、本発明の実施例３においては、紙製収納箱１００は、正面パネル１０１と天面パネル１０２と背面パネル１０３と底面パネル１０４と糊代１０５と、これらパネルの両側に設けられた側面パネルを形成する側面フラップとしての内フラップ１０６、１０８、１１１、１１３と、外フラップ１０７、１０９、１１２、１１４とから形成されており、図示されるような状態に配置され、構成されている。
【００７６】
図８に示されるように、本発明の紙製収納箱１００は、正面パネル１０１と天面パネル１０２と背面パネル１０３と底面パネル１０４とが連続した状態で形成され、底面パネル１０４の側辺に接合部としての糊代１０５が連続して設けられており、さらに、各パネルの側辺に内フラップ１０６、１０８、１１１、１１３と外フラップ１０７、１０９、１１２、１１４とが設けられている。
【００７７】
本発明の実施例３の紙製収納箱１００においては、正面パネル１０１と天面パネル１０２と背面パネル１０３とに、上記実施例１、２におけるような中央部の折れ線が設けられていないことが異なっており、他は実質的にほぼ同じである。
【００７８】
また、本実施例においては、天面パネル１０２の中央に設けられる開口部１１８がほぼ鼓形をなしているが、開口部１１８の形状はこれに限られるものでは無く、繭玉形、長方形、菱形、長円形、楕円形、円形、四角形等の他の任意の形状にすることができる。なお、図示の本発明の実施例３においては、開口部１１８の形状は、鼓形をなしており、この開口部１１８の両端部から短い切込線１２０がそれぞれ延びていて、この切込線１２０の端から直線状の切込線１１７が天面パネル１０２の四隅の角部に向って延びている。これら切込線１１７はジッパーのような切込みが連続して形成されるものであるが、他の同様なミシン目や切込みが使用できることは勿論である。
【００７９】
さらに、底面パネル１０４には、中央に切込線１２２が設けられており、その端から対角線方向の対向する角部に向ってほぼ４５゜の方向に折れ線１２１が設けられている。また、残りの他の対向する角部からほぼ４５゜の方向に切込線１２３がほぼＳ字状に設けられている。勿論、この折れ線１２１も、ジッパーのような切込みの連続した切込線として、底面パネル１０４に設けて、これら全てを切込線として設けることができる。
【００８０】
このように、天面パネル１０２のほぼ中央には、細長い孔としての鼓形の開口部１１８が設けられており、この開口部１１８の両端から外方に切込線１２０または折れ線が設けられると共に、この切込線１２０の端に、頂点を置いて末広がり形状に延びる「八」の字形状のジッパーが切込線１１７として設けられていて、開封手段が形成されている。開口部１１８は、細長いほぼ鼓形の孔から成っており、紙製収納箱１００を開封する際に、指先を容易に差し込んで引っ掛けることができるように形成されている。また、開口部１１８は、天面パネル１０２のほぼ中央の位置に限らず、実施例１、実施例２と同様に、左右前後方向のいずれの位置にも設けることができる。
【００８１】
このように、開口部１１８は、天面パネル１０２の中央に限らず、天面パネル１０２のいずれの位置にも設けることができるものであり、前後左右のいずれの位置にも移動して配置することができる。さらにまた、開口部１１８は、天面パネル１０２に対して横方向に細長く延びるように形成されているが、横方向に限らず縦方向の直交した向きに細長く延びるように配置できるし、かつ、いずれの位置にも設けることができる。
【００８２】
このような天面パネル１０２におけるジッパーのような切込線１１７は、開口部１１８の両端付近から外方に末広がりに「八」の字形状に形成されており、端部が、紙製収納箱１００のほぼ角部の付近に終わっている。また、開口部１１８の方向により、末広がりに設けられる切込線１１７の方向も、９０°回転した方向に設けられる。
【００８３】
なお、この天面パネル１０２のジッパーとしての切込線１１７は、この実施例３においては、ほぼ直線状に形成されているが、直線状の他に、円弧状等の曲線状に形成しても良いことは勿論である。
【００８４】
さらに、内フラップ１０６、１０８、１１１、１１３と外フラップ１０７、１０９、１１２、１１４との間には、素材であるダンボールの紙厚さに対応した寸法の隙間Ｓがそれぞれ設けられていて、組立て時に、内フラップ１０６、１０８、１１１、１１３と外フラップ１０７、１０９、１１２、１１４が好適に折り曲げられて重なり合うことができるように形成されている。
【００８５】
このような、図８に示されるような形状のブランクとして、本発明の実施例３における紙製収納箱１００が、図示の展開した状態で、一枚の平らなダンボールや板紙等から切り出されて作られる。
【００８６】
このような本発明の紙製収納箱１００において、底面パネル１０４の上に所要の冊数のカットシート冊が置かれて、一方の側から正面パネル１０１が起こされ、続いて天面パネル１０２と背面パネル１０３が起こされて内容物を包むように巻かれる。そして、接合部である糊代１０５が背面パネル１０３の下辺に沿って折り曲げられて押圧されて接合部としての糊代１０５に塗布された糊等の接着剤１３０を介して背面パネル１０３に接着される。
【００８７】
これと同時に、内フラップ１０６、１０８、１１１、１１３が内側に折り曲げられると共に、外フラップ１０７、１０９、１１２、１１４も内側に折り曲げられて糊等の接着剤１３０によって対応する内フラップ１０６、１０８、１１１、１１３の上に接着されて、中に内容物としてのカットシート冊が収納されて詰められた直方体形状のパッケージとして図９に示されるように形成される。この実施例における包装形態の箱もラップラウンドケースと称される。
【００８８】
図９に示されるような本発明の紙製収納箱１００において、中身のカットシート冊等の内容物１４０を取り出すには、床やテーブルまたは台の上に置かれた本発明の紙製収納箱１００の天面パネル１０２の開口部１１８に指先を差し込んで、図９に矢印で示されるように前後外方に引き裂けば、天面パネル１０２は、折れ線１２０と左右のジッパーの切込線１１７に沿って図１０に示される状態に四方に引き裂かれる。
【００８９】
こうして、天面パネル１０２のフラップ片１０２ａ、１０２ｂを持って、外方に向って十分に押し開いて、天面パネル１０２の開口部分から、中の内容物１４０としてのカットシート冊を持って持ち上げることによって容易に取り出すことができるようになる。
【００９０】
このように、本発明の紙製収納箱１００が十分に開封されて内容物１４０が完全に取り出されたならば、紙製収納箱１００の開封された残余部材を押し潰すために、図１１に示されるように天地を逆にして底面パネル１０４を上にした後に、底面パネル１０４を押すことによって、底面パネル１０４の略Ｓ字形の切込線１２３、１２２と折れ線１２１とに沿って分断されて開かれ、パネル部分を内方に押し込むことによって、紙製収納箱１００を図１２に示されるように平らに簡単に折り畳むことができ、これによって小さく纏めて廃棄処分することができる。
【００９１】
また、開かれた底面パネル１０４のパネル部分を図１３に示されるように外方に引き出せば、紙製収納箱１００を図示のように平らな状態に折り畳むことができ、リサイクルすべく有効に処分することができる。
【００９２】
従って、紙製収納箱１００は容易に解体でき、解体後は一体物として廃棄し易く、変形サイズにもならず、一部がゴミになることも無く、箱全体が古紙として有効的にリサイクルすることができる。また、このような本発明の紙製収納箱１００は箱として再利用することもでき、力の弱い女性や子供等でも、誰にでも容易に紙製収納箱の開封と、冊子の取出しとができるようになる。
【００９３】
なお、本発明の実施例３の紙製収納箱１００において、底面パネル１０４のＳ字形の折れ線１２１を、切込線１２２、１２３と同じく、ジッパー等のような切込みの連続した切込線とすることもできる。また、糊代１０５を、天面パネル１０２の一方の辺に設けて正面パネル１０１や背面パネル１０３の上辺において接合するようにすることができる。
【産業上の利用可能性】
【００９４】
本発明の紙製収納箱は、ラップラウンドケースにも、箱を組み立ててから内容物を収納する箱にも適用できる。また、段ボール箱にも厚紙の箱にも適用できる。
【図面の簡単な説明】
【００９５】
【図１】本発明の実施例１の紙製収納箱をブランク状態に開いた展開図である。
【図２】図１の本発明の実施例１の紙製収納箱に内容物を収納して閉鎖した状態を示す斜視図である。
【図３】図２の本発明の実施例１の紙製収納箱の天面パネルを開封した状態で示す斜視図である。
【図４】本発明の実施例１の紙製収納箱を下方から見た底面図である。
【図５】本発明の実施例１の紙製収納箱を完全に開いて空にして、底面パネルを切断して平坦な状態で示す下面図である。
【図６】本発明の実施例２の紙製収納箱をブランク状態に開いた展開図である。
【図７】図６の本発明の実施例２の紙製収納箱に内容物を収納して閉鎖した時の直方体としての紙製収納箱の全体形状を示す斜視図である。
【図８】本発明の実施例３の紙製収納箱をブランク状態に開いた展開図である。
【図９】図８の本発明の実施例３の紙製収納箱に内容物を収納して閉鎖した時の直方体としての紙製収納箱の全体形状を示す斜視図である。
【図１０】図９の本発明の実施例３の紙製収納箱の天面パネルを開いた状態を示す斜視図である。
【図１１】図１０の本発明の実施例３の紙製収納箱から内容物を全て取り出して紙製収納箱を平らに押し潰すために天地を逆の状態にした斜視図である。
【図１２】図１１の本発明の実施例３の紙製収納箱の底部を内側に押し入れて平らにした状態を示す斜視図である。
【図１３】本発明の実施例３の紙製収納箱の底部を外方に出すように収納箱を平らにした状態を示す斜視図である。
【符号の説明】
【００９６】
１        正面パネル
２        天面パネル
３        背面パネル
４        底面パネル
５        糊代
６        内フラップ
７        外フラップ
８        内フラップ
９        外フラップ
１０      紙製収納箱
１１      内フラップ
１２      外フラップ
１３      内フラップ
１４      外フラップ
１５      折れ線
１６      折れ線
１７      切込線
１８      開口部
１９      折れ線
２０      折れ線
２１      折れ線
２２      切込線
２３      切込線
２５      折れ線
２６      折れ線
３０      接着剤（糊）
５０      紙製収納箱
５１      正面パネル
５２      天面パネル
５３      背面パネル
５４      底面パネル
５５      糊代
５６      内フラップ
５７      外フラップ
５８      内フラップ
５９      外フラップ
６１      内フラップ
６２      外フラップ
６３      内フラップ
６４      外フラップ
６５      折れ線
６６      折れ線
６７      折れ線
６８      切込線
６９      切込線
７０      折れ線
７１      折れ線
７２      切込線
７３      開口部
７４      折れ線
７５      切込線
８０      接着剤（糊）
Ｓ        隙間
１００    紙製収納箱
１０１    正面パネル
１０２    天面パネル
１０３    背面パネル
１０４    底面パネル
１０５    糊代
１０６    内フラップ
１０７    外フラップ
１０８    内フラップ
１０９    外フラップ
１１１    内フラップ
１１２    外フラップ
１１３    内フラップ
１１４    外フラップ
１１７    切込線
１１８    開口部
１２０    切込線
１２１    折れ線
１２２    切込線
１２３    切込線
１３０    接着剤（糊）
【図１】
2005104549.tif 000003
【図２】
2005104549.tif 000004
【図３】
2005104549.tif 000005
【図４】
2005104549.tif 000006
【図５】
2005104549.tif 000007
【図６】
2005104549.tif 000008
【図７】
2005104549.tif 000009
【図８】
2005104549.tif 000010
【図９】
2005104549.tif 000011
【図１０】
2005104549.tif 000012
【図１１】
2005104549.tif 000013
【図１２】
2005104549.tif 000014
【図１３】
2005104549.tif 000015